(57)【特許請求の範囲】
【請求項１】
浴槽エプロンの下端を防水パンの土手状の立ち上がり部に固定する際、上記の下端の内面と防水パンの立ち上がり部の側面との間に生じる隙間を塞ぐ浴槽エプロンの水密構造であって、上記の隙間が下方から挿し込まれる水密部材で塞がれ、この水密部材が、浴槽エプロンの下端面と防水パンの立ち上がり部の側面に密着して隙間の下側の口を塞ぐ蓋状部と、下方から上記の隙間に挿入される挿し込み部とで形成されていることを特徴とする浴槽エプロンの水密構造。
【請求項２】
請求項１記載の浴槽エプロンの水密構造であって、水密部材の蓋状部が軟質に形成され、挿し込み部が上記の隙間に挿し込まれると浴槽エプロンの下端と防水パンの立ち上がり部を押圧するよう復元してこの箇所に係止可能になるようバネ質に形成されていることを特徴とする浴槽エプロンの水密構造。
【請求項３】
請求項１又は２記載の浴槽エプロンの水密構造であって、浴槽エプロンの下端の内面に、水密部材の挿し込み部の根元付近と係合して挿し込み部を防水パンの立ち上がり部の側面に押し付ける凸部が設けられていることを特徴とする浴槽エプロンの水密構造。
【請求項４】
請求項３記載の浴槽エプロンの水密構造であって、凸部が、浴槽エプロンの長手方向に沿って同じ高さで間隔をあけて複数設けられていることを特徴とする浴槽エプロンの水密構造。
【請求項５】
請求項４記載の浴槽エプロンの水密構造であって、凸部が、浴槽エプロンの長手方向に沿って延ばされ、横棒状に形成されていることを特徴とする浴槽エプロンの水密構造。
【請求項６】
請求項１乃至５の何れかに記載の浴槽エプロンの水密構造であって、水密部材の挿し込み部が側面視で略くの字状に形成されると共に、先端部が屈曲する内側に返されて返し片を備え、略逆Ｖ字状に形成されていることを特徴とする浴槽エプロンの水密構造。
【発明の詳細な説明】
【技術分野】
【０００１】
本発明は、浴槽エプロンの水密構造に関し、更に詳しくは浴槽エプロンの下端と、この下端が取り付けられる防水パンの土手状の立ち上がり部との間に生じる隙間を塞ぐ浴槽エプロンの水密構造に関するものである。
【背景技術】
【０００２】
従来、この種の箇所は、洗い場側から見て前後に対向する部材同士の間に板状のパッキンを挟み込み、洗い場側からビスで部材を締め付けてパッキンを圧着し、水密化していることが多かった。
また従来、この種の箇所の隙間を塞ぐ水密部材としては、例えば軸にヒレ状の抜け止め部が形成されているものがある（例えば特許文献１参照）。
この従来品は、このような水密部材を、洗い場側から浴槽側に向かって隙間に挿し込み、浴槽エプロンの下端の水密化を図っている。
【０００３】
従って従来構造によると、水密部材の弾性を利用するため劣化による不具合が起き易く、交換もビス等を取り外して行う必要がある為、作業が面倒であった。
また文献１に記載の水密部材は、抜け止め用の複数のヒレが軸の先端側に斜めに突き出され、このヒレを接合部材の内面に接触させて抜け落ちを防止するものである。従ってこれによると、水密部材を隙間に挿し込むときの抵抗が大きく、またヒレが捩じれて精度良く係合させることができない、という問題点があった。
【先行技術文献】
【特許文献】
【０００４】
【特許文献１】特開平９−２９４６８４号公報
【発明の概要】
【発明が解決しようとする課題】
【０００５】
本発明は、このような従来品の問題点に鑑み、提案されたものである。
従って本発明の解決しようとする技術的課題は、パッキンが劣化して水密性が低下する問題を解消でき、劣化したときの交換も容易であり、また水密部材を隙間に挿し込み易くでき、水密性を安定化できるよう形成した浴槽エプロンの水密構造を提供することにある。
【課題を解決するための手段】
【０００６】
本発明は、上記の課題を解決するため、次のような技術的手段を採る。
即ち本発明は、図１等に示されるように、浴槽エプロン１の下端１ａを防水パン２の土手状の立ち上がり部２ａに固定する際、上記の下端１ａの内面と防水パン２の立ち上がり部２ａの側面との間に生じる隙間Ｓを塞ぐ浴槽エプロン１の水密構造であって、上記の隙間Ｓが下方から挿し込まれる水密部材４で塞がれ、この水密部材４が、浴槽エプロン１の下端面１ｂと防水パン２の立ち上がり部２ａの側面に密着して隙間Ｓの下側の口を塞ぐ蓋状部４ａと、下方から上記の隙間Sに挿入される挿し込み部４ｂとで形成されていることを特徴とする（請求項１）。
【０００７】
而して本発明は、水密部材４の蓋状部４ａが軟質に形成され、挿し込み部４ｂが上記の隙間Ｓに挿し込まれると浴槽エプロン１の下端１ａと防水パン２の立ち上がり部２ａを押圧するよう復元してこの箇所に係止可能になるようバネ質に形成されているのが好ましい（請求項２）。
なぜならこれによると、接着剤等の手段によることなく、水密部材４の落下を防止できるからである。
【０００８】
また本発明は、浴槽エプロン１の下端１ａの内面に、水密部材４の挿し込み部４ｂの根元付近と係合して挿し込み部４ｂを防水パン２の立ち上がり部２ａの側面に押し付ける凸部５が設けられているのが好ましい（請求項３）。
なぜならこれによると、凸部５を利用して水密部材４を確実、堅固に装着できるからである。
【０００９】
またこの場合、凸部５は、浴槽エプロン１の長手方向に沿って同じ高さで間隔をあけて複数設けられているのが好ましい（請求項４）。
なぜならこれによると、凸部５を浴槽エプロン１の長手方向に沿って連続状に形成する場合に比べ、水密部材４の挿し込み部４ｂと凸部５との抵抗を軽減でき、その分、水密部材４を楽に挿し込むことができるからである。
【００１０】
またこの場合、凸部５は、浴槽エプロン１の長手方向に沿って延ばされ、横棒状に形成されているのが好ましい（請求項５）。
なぜならこれによると、凸部５が、点突起状に形成されている場合に比べ、挿し込み部４ｂを凸部５の箇所で安定した姿勢で係合させることができ、係合状態も確実になることからである。
【００１１】
また本発明の場合は、水密部材４の挿し込み部４ｂが側面視で略くの字状に形成されると共に、先端部４ｃが、屈曲する内側に返されて返し片４ｄを備え、略逆Ｖ字状に形成されているのが好ましい（請求項６）。
なぜならこれによると、挿し込み部４ｂの構造を簡単化できるからである。またこの場合は、挿し込み部４ｂの背側の根元付近に凸部５が係合するよう水密部材４の向きを調整して隙間Ｓに挿し込むと、先端部４ｃの返し片４ｄが防水パン２の立ち上がり部２ａの側面に当接してこの返し片４ｄと挿し込み部４ｂのバネ力で水密部材４を浴槽エプロン１側に強く押し付けることができるからである。
【発明の効果】
【００１２】
本発明は、このように浴槽エプロンの下端の内面と防水パンの立ち上がり部の側面との間に生じる隙間を下方から水密部材を挿し込んで塞ぎ、この水密部材を、浴槽エプロンの下端面と防水パンの立ち上がり部の側面に密着させて隙間の下側の口を塞ぐ蓋状部と、下方から上記の隙間に挿入する挿し込み部とで形成しているものである。
従って本発明によれば、パッキンが劣化して水密性が低下する問題を解消でき、劣化したときの交換も容易であり、また水密部材を隙間に挿し込み易くでき、水密性を安定化できる。
【図面の簡単な説明】
【００１３】
【図１】本発明構造の好適な一実施形態を示す要部縦断面図である。
【図２】浴槽エプロンの斜視図である。
【図３】浴槽エプロンの側面図である。
【図４】浴槽エプロンを示し、Ａは要部斜視図、ＢはＡのＢ―Ｂ線拡大断面図である。
【図５】水密部材の要部斜視図である。
【図６】浴槽エプロンの取り付け方法を説明するための要部縦断面図である。
【図７】浴槽エプロンの取り付け方法を説明するための要部縦断面図である。
【図８】水密部材の取り付け方法を説明するための要部縦断面図である。
【図９】本発明構造を示す要部拡大縦断面図である。
【図１０】水密部材の取り外し方法を説明するための要部縦断面図である。
【図１１】水密部材の取り外し方法を説明するための要部縦断面図である。
【発明を実施するための形態】
【００１４】
以下、本発明を実施するための好適な一実施形態を、添付図面に従って説明する。
本発明は、図１等に示されるように、浴槽エプロン１の下端１ａを防水パン２の土手状の立ち上がり部２ａに固定する際、上記の下端１ａの内面と防水パン２の立ち上がり部２ａの側面との間に生じる隙間Ｓを塞ぐ浴槽エプロン１の水密構造である。
【００１５】
浴槽エプロン１の下端１ａは、この実施形態では段差状に形成されている。また浴槽エプロン１は、この実施形態では下端１ａの内面に、図１〜図４等に示されるように、板ばね式の金属片３が、内方に突き出されて複数設けられている。
【００１６】
この金属片３は、浴槽エプロン１の長手方向にわたって同じ高さで間隔をあけて設けられ、防水パン２の立ち上がり部２ａを超えて突き出し可能な長さに形成されている。またこの金属片３は、その先端側に、防水パン２の立ち上がり部２ａの、浴槽エプロン１の内面から離れた側の上縁部２ｂ（図１参照）と係合する湾曲状の係合部３ａを備えて形成されている。またこの金属片３は、下面が防水パン２の立ち上がり部２ａの上面にフィットするよう、浴槽エプロン１に高さ調節可能に設けられている。
【００１７】
４は、上記の隙間Ｓに下方から挿し込まれてこの隙間Ｓを塞ぐ水密部材である。この水密部材４は、図１、図５等に示されるように、浴槽エプロン１の下端面１ｂとしての段差面と、防水パン２の立ち上がり部２ａの側面に密着して隙間Ｓの下側の口を塞ぐ軟質性の蓋状部４ａと、上記の隙間Ｓに挿し込まれると浴槽エプロン１の下端１ａと防水パン２の立ち上がり部２ａを押圧するよう復元してこの箇所に係止するバネ質の挿し込み部４ｂとで形成されている。水密部材４は、浴槽エプロン１の長さに対応して長尺状に形成されている。またこの実施形態の場合、水密部材４は、蓋状部４ａと挿し込み部４ｂが二色成型法で一体成型されている。
なお、浴槽エプロン１の下端面１ｂとしての段差面は、図１、図４Ｂ等に示されるように、一段高く形成されている。従ってこの実施形態の本発明によると、洗い場の側から水密部材４を隠すことができるため、意匠性が向上し、体裁が良くなるものである。
【００１８】
またこの実施形態の場合、水密部材４の挿し込み部４ｂは、側面視で略くの字状に形成されると共に、先端部４ｃが、屈曲する内側に返されて返し片４ｄを備え、略逆Ｖ字状に形成されている。
【００１９】
また本発明は、浴槽エプロン１の下端１ａの内面に、水密部材４の挿し込み部４ｂの根元付近と係合して挿し込み部４ｂの例えば先端部４ｃを防水パン２の立ち上がり部２ａの側面に押し付ける凸部５が、浴槽エプロン１の下端１ａより一段高い位置に設けられている。この凸部５は、挿し込み操作時に挿し込み部４ｂとの接触摩擦を軽減できるよう、先端が丸く凸湾曲面状に形成され、浴槽エプロン１の長手方向に沿って同じ高さで間隔をあけて複数設けられている。またこの凸部５は、浴槽エプロン１の長手方向に沿って延ばされ、横棒状に形成されている。
【００２０】
またこの凸部５が係合する水密部材４の挿し込み部４ｂの根元付近には、係合状態が安定化、確実化するよう、凹み４ｅが形成されている。この凹み４ｅは、この実施形態では、水密部材４の長手方向の全長にわたって断面凹湾曲の溝状に形成されている。
【００２１】
次に、浴槽エプロン１及び水密部材４の取り付け、取り外し操作を、図６〜図１１に従って説明する。
【００２２】
先ず作業者は、図６に示されるように、浴槽エプロン１の下端１ａの金属片３を、その先端を防水パン２の立ち上がり部２ａに沿わせて、防水パン２の立ち上がり部２ａの上面を乗り越えさせる。そして図７に示されるように、金属片３の係合部３ａを防水パン２の立ち上がり部２ａの上縁部２ｂに係合させ、防水パン２の立ち上がり部２ａの上面に金属片３を被せる。
【００２３】
次に作業者は、図８に示されるように、隙間Ｓの下方から挿し込み部４ｂを上にして水密部材４を隙間Ｓに挿し込む。水密部材４の挿し込み部４ｂは、隙間Ｓに挿し込まれるのに連れて背が凸部５で立ち上がり部２ａの側に押され、曲げられる。
【００２４】
そして作業者が、更に押し込み、凸部５が挿し込み部４ｂの根元付近の凹み４ｅに係合すると、返し片４ｄを防水パン２の立ち上がり部２ａの側面に密着させて、挿し込み部４ｂが浴槽エプロン１の内面側に復元する。従って浴槽エプロン１は、返し片４ｄと挿し込み部４ｂのバネ作用で、常に立ち上がり部２ａから引き離されるよう付勢される。
なお、この実施形態の場合は、凸部５が凹み４ｅに係合するよう形成されているため、作業者は係合時に「パチッ」という感触を得られ、挿し込み操作の完了を確認できる。
【００２５】
而して、挿し込み部４ｂが隙間Ｓに挿し込まれ、凸部５が凹み４ｅに係合すると、この実施形態の場合、金属片３の係合部３ａが防水パン２の立ち上がり部２ａの上縁部２ｂに係合しているため、浴槽エプロン１は水密部材４によって洗い場側に押され、下端１ａが立ち上がり部２ａに金属片３を介してしっかりと固定される。またこのとき、水密部材４の蓋状部４ａは、図９に示されるように、浴槽エプロン１の下端面１ｂとしての段差面と、防水パン２の立ち上がり部２ａの側面に密着し、隙間Ｓの下側の口を密閉する。
【００２６】
なお、水密部材４を取り外す場合は、浴槽エプロン１の下端１ａに手指を掛け、図１０に示されるように、洗い場側に引いてから持ち上げる。浴槽エプロン１が外れると、図１１に示されるように、水密部材４が同時に外れ、回収可能になる。
【００２７】
以上の処において、上記の浴槽エプロン１の固定の仕方は任意であり、上例のような金属片３を介して防水パン２の立ち上がり部２ａに取り付けられる場合に限定されるものではない。
また本発明の場合、水密部材４の挿し込み部４ｂは、復元力で隙間Ｓからの脱落が防止可能に形成されているのが好ましいが、これに限定されるものではなく、その形状、構造は自由である。
また本発明は、浴槽エプロン１が、浴槽エプロン１と浴室カウンター横の小エプロンのように、二分割されている場合においても、本発明の水密部材４を用いれば、一体的にエプロン下部を水密化できる。
【符号の説明】
【００２８】
１      浴槽エプロン
１ａ    下端
１ｂ    下端面
２      防水パン
２ａ    立ち上がり部
４      水密部材
４ａ    蓋状部
４ｂ    挿し込み部
Ｓ      隙間
【図１】
0005387290.tif 000002
【図２】
0005387290.tif 000003
【図３】
0005387290.tif 000004
【図４】
0005387290.tif 000005
【図５】
0005387290.tif 000006
【図６】
0005387290.tif 000007
【図７】
0005387290.tif 000008
【図８】
0005387290.tif 000009
【図９】
0005387290.tif 000010
【図１０】
0005387290.tif 000011
【図１１】
0005387290.tif 000012